(57)【要約】【課題】外枠が傾いて固定されていても前枠を適正な水平姿勢に配設し得るとともに、前枠の移動作業をも容易化した枠支持構造を提供する。【解決手段】外枠１０にヒンジ機構を介して開閉および着脱可能に連結支持された前枠２０を有する縦型遊技機において、基端側が前枠２０の下部に枢支され先端側が上下に揺動可能な第１，第２揺動アーム１３０Ｌ，１３０Ｒと、各揺動アームの先端部に回動可能に取着された第１，第２回動部材１４０Ｌ，１４０Ｒと、各揺動アームの揺動角度位置を調整可能に設けられた第１，第２調整機構１５０Ｌ，１５０Ｒと、閉鎖姿勢において回動部材を支持する支持受け部１６０，１６０とを備え、第１，第２調整機構を調整することにより外枠に対する前枠の傾きを調整し得るとともに、前枠を取り外した状態では第１，第２回動部材を接地させて前枠全体を転がり移動させ得るように枠支持構造１００を構成する。【選択図】  図４
2004321540.tif 000002
【特許請求の範囲】
【請求項１】
外郭方形状に構成された外枠と、前記外枠の前側開口面域に合わせた方形状に構成され前記外枠に対して一側縁の開閉連結支持機構を介して片持ち支持形態で開閉および着脱が可能に連結された前枠と、前記前枠の所要設定位置に装備された遊技構成部材とを有し、全体として縦向きに立設されて遊技に供される縦型遊技機にあって、
それぞれ基端側が前記前枠の下部に取り付けられ先端側が前記前枠と前記外枠との下部整合部分の左右で上下に揺動可能な第１揺動アームおよび第２揺動アームと、
前記第１揺動アームおよび前記第２揺動アームの先端部にそれぞれ前後方向に回動可能に取り付けられた第１回動部材および第２回動部材と、
前記前枠に対する前記第１揺動アームの揺動角度位置および前記前枠に対する前記第２揺動アームの揺動角度位置を調整することにより前記前枠に対する前記第１回動部材および前記第２回動部材の高さ位置を個々に調整可能に設けられた第１調整機構および第２調整機構と、
前記外枠における前記第１回動部材および前記第２回動部材との整合位置に配設され前記前枠を前記外枠に閉鎖した閉鎖姿勢において前記第１回動部材および第２回動部材を支持し得る支持受け部とを備え、
前記第１調整機構および前記第２調整機構を用いて前記第１回動部材および前記第２回動部材の高さ位置を調整することにより、前記閉鎖姿勢における前記外枠に対する前記前枠の左右方向の傾きを調整し得るとともに、前記開閉連結支持機構の連結を解除して前記外枠から前記前枠を取り外した状態では、前記第１回動部材および前記第２回動部材を接地させて前記遊技構成部材が取り付けられた前枠を転がり移動可能に構成したことを特徴とする縦型遊技機の枠支持構造。
【発明の詳細な説明】
【０００１】
【発明の属する技術分野】
本発明は、外郭方形状の外枠と、この外枠に開閉連結支持機構を介して開閉および着脱が可能に連結された前枠と、前枠に装備された遊技構成部材とを有する縦型遊技機に関し、なお詳細には、外枠に対する前枠の左右方向の傾きを容易に調整可能な枠支持構造に関する。
【０００２】
【従来の技術】
上記のような外枠と前枠と遊技構成部材とを有した縦型遊技機として、パチンコ機やアレンジボール機、雀球機などが知られている。この種の遊技機の代表例とされるパチンコ機では、外郭方形状に枠組みされた固定保持用の外枠と、この外枠の前側開口面域に合わせた方形状に構成された開閉搭載用の前枠とが、互いの一側縁に設けられた開閉連結支持機構を介して開閉可能に連結され、他側縁に設けられた施錠装置を利用して常には外枠の前面を覆う閉鎖姿勢に保持される。前枠には所要のゲージ設定で遊技領域が形成された遊技盤、遊技盤の前面を覆うガラス扉、遊技球を貯留する上下の球皿、球皿に貯留された遊技球を遊技盤に向けて発射する遊技球発射装置、球貯留タンクや球払出装置等の賞球機構を備えた裏セット盤、パチンコ機の作動を制御する各種制御基板や中継基板などの遊技構成部材が各々の設定位置に装備され、所定電源を接続することで作動可能な前枠構造体が形成される。
【０００３】
ここで、外枠と前枠とは、互いの一側縁に設けられた開閉連結支持機構、例えば互いの左側縁上下に設けられたヒンジ機構を介して横開き開閉および着脱が可能に連結支持されるが、この支持形態は片持ち支持であり、また上記各遊技構成部材が組み付けられた前枠構造体は相当の重量物であることから、片持ち支持状態のままではヒンジ機構のガタや撓みなどによりヒンジ機構と反対側の右側縁が下傾する。そして、このように前枠構造体が左右に傾いた状態では、球通路の勾配変化によって球流れに支障をきたすおそれがあるほか、特に遊技盤では遊技領域のゲージ設定条件が失われて本来の設計意図に基づく安定したゲーム展開が維持し得なくなってしまう。
【０００４】
このため、従来のパチンコ機では、ヒンジ機構が設けられた一側縁と反対側における外枠と前枠との下部整合部分に係合支持部を設け、この係合支持部で前枠を支持することで前枠構造体を適正な水平姿勢・位置に保持し得るように枠支持構造を構成していた。係合支持部の構成としては、外枠の前面開口下端に位置する支持台板（一般的に「幕板」と称される）の上端右側に受け座金を設けるとともに、前枠の下端右側にはこの受け座金と係脱可能な座部を下方に突出成型し、前枠を閉鎖したときに前枠の座部が外枠の受け座金に乗り上げるように係合し、左側のヒンジ機構と右側の係合支持部とによって前枠構造体を支持する構成が一般的に用いられている。
【０００５】
一方、上記のような枠支持構造では、係合支持部における前枠側の座部と外枠側の受け座金とが面係合して支持する構成のため、前枠を開閉させる際に相対摺動する両部材間の摩擦抵抗を受けてスムーズな開閉操作を確保することが難しい。そこで、より滑らかな開閉操作を実現するため、上記係合支持部のいずれか一方に回動可能な回転円盤を設け、回転円盤と平面（受け座金または座部）との係合によって前枠構造体を支持するように構成した枠支持構造が提案されている。（例えば、特許文献１を参照）。
【０００６】
【特許文献１】
特開２０００−１４３４９３号公報
【０００７】
【発明が解決しようとする課題】
ここで、上述したような従来の枠支持構造で前枠が水平姿勢で保持されるためには、前枠を支持する外枠が左右水平に位置決め固定されていることが当然に求められる前提条件である。ところが、外枠が支持固定される遊技島の島棚板は常に左右水平であるとは限らず、外枠を固定する作業者が１台ごとに外枠の水平出しを行って釘打ち固定している。このため、現実的には外枠固定時に水平出しが不十分で外枠自体が傾いて取り付けられる場合も生じ、このような場合には、上記前提条件が崩れて前枠が傾斜姿勢で取り付けられ、外枠を固定し直さない限り所要の水平基準を満たせないという問題があった。
【０００８】
また、従来の枠支持構造では、外枠および前枠の互いの一側縁に設けられたヒンジ機構（より具体的には下部ヒンジ機構の支持面）を、前枠の高さ位置を規定するための基準とし、この基準に合わせて互いの右側の下部整合位置に係合支持部を設けている。しかしながら、ヒンジ機構および係合支持部がともに複数の構成部材からなり、かつこれらの構成部材を物理的に離隔した所定位置にネジ固定して取着する構成であるため、各構成部材の形状および寸法誤差や、取着部の高さ位置の誤差、構成部材をネジ固定する際の組立誤差などが生じ、たとえ外枠の水平出しが適切に行われていても、前枠の水平姿勢に一定程度の傾き（ばらつき）を許容せざるを得ないという問題もあった。
【０００９】
また、上述したように前枠に種々の遊技構成部品が取り付けられた前枠構造体は相当な重量物であるうえに、パチンコ機の前後面には不用意に当接させると破損するおそれのある部品やコネクタケーブルも多数配設されており、加えて外枠が係合連結されていない前枠構造体は一般的に床面上に自立させることもできない。このため、例えば、遊技施設への搬入作業や施設内での移動作業は、熟練作業者にとってもかなり神経を使う重労働であり、前枠構造体の取り扱いを改善する方策が強く望まれていた。
【００１０】
本発明はこのような事情に鑑みて成されたものであり、外枠の傾きや各構成部材の寸法誤差等に拘わらず、所要の水平姿勢・位置に保持可能な枠支持構造を提供するとともに、併せて前枠構造体の取り扱いをも容易化できる枠支持構造を提供することを目的とする。
【００１１】
【課題を解決するための手段】
上記目的達成のため、本発明は、外郭方形状に構成された外枠と、外枠の前側開口面域に合わせた方形状に構成され外枠に対して一側縁の開閉連結支持機構を介して片持ち支持形態で開閉および着脱が可能に連結された前枠と、前枠の所要設定位置に装備された遊技構成部材とを有し、全体として縦向きに立設されて遊技に供される縦型遊技機の枠支持構造に関するものである。そのうえで、本発明の枠支持構造は、それぞれ基端側が前枠の下部に取り付けられ先端側が前枠と外枠との下部整合部分の左右で上下に揺動可能な第１揺動アームおよび第２揺動アームと、第１揺動アームおよび第２揺動アームの先端部にそれぞれ前後方向に回動可能に取り付けられた第１回動部材および第２回動部材と、前枠に対する第１揺動アームの揺動角度位置および前枠に対する第２揺動アームの揺動角度位置を調整することにより前枠に対する第１回動部材および第２回動部材の高さ位置を個々に調整可能に設けられた第１調整機構および第２調整機構と、外枠における第１回動部材および第２回動部材との整合位置に配設され前枠を外枠に閉鎖した閉鎖姿勢において第１回動部材および第２回動部材を支持し得る支持受け部とを備えており、第１調整機構および第２調整機構を用いて第１回動部材および第２回動部材の高さ位置を調整することにより、閉鎖姿勢における外枠に対する前枠の左右方向の傾きを調整し得るとともに、開閉連結支持機構の連結を解除して外枠から前枠を取り外した状態では、第１回動部材および第２回動部材を接地させて遊技構成部材が取り付けられた前枠を転がり移動させることができるように構成される。
【００１２】
上記のように構成された枠支持構造では、それぞれ先端部に回動部材を有する第１揺動アームおよび第２揺動アームが前枠の下部に取り付けられ、各揺動アームが第１および第２調整機構により個々に揺動角度位置を調整可能に配設される一方、外枠には前枠を閉鎖した閉鎖姿勢において各回動部材と係合して支持し得る支持受け部が形成されており、第１および第２調整機構を用いて各揺動アームの揺動角度位置（前枠に対する第１揺動アームの傾き角度および前枠に対する第２揺動アームの傾き角度）を調整することにより、第１および第２回動部材の高さ位置を調整して外枠に対する前枠の左右方向の傾きを調整可能に構成される。
【００１３】
このため、第１および第２調整機構を利用して各回動部材の高さ位置を調整することで、外枠に対する前枠の高さ位置および相対角度を変化させることができ、これにより、例えば外枠が左右に傾斜した状態で固定されていたとしても、前枠を適正な水平姿勢に調整して保持させることができる。また、前枠の傾きを直接調整する構成のため、各構成部材の寸法誤差や取付誤差等の影響を受けることがなく、前枠を確実に水平姿勢に調整することができる。さらに第１および第２回動部材の高さ位置を独立して調整可能なため、外枠に対する前枠の高さ位置をも調整することができ、きめ細かい水平姿勢・位置の調整が可能である。
【００１４】
また、この枠支持構造では、開閉連結支持機構の連結を解除して外枠から前枠を取り外した状態では、前枠の下部左右に配設された第１回動部材および第２回動部材を接地させて、遊技構成部材が取り付けられた前枠（すなわち、前述した前枠構造体）を転がり移動させることができるように構成される。このため、前述した遊技施設への搬入作業や施設内での移動作業等を行うときに、作業者は第１および第２回動部材を床面に接地させて、前枠構造体を軽い操作力で移動させることができ、これにより、移動作業専用の新たな機構装置を設けることなく、従来重労働とされた移動作業の労力を大幅に軽減し、取り扱い性が良好な縦型遊技機を提供することができる。
【００１５】
【発明の実施の形態】
以下、本発明の好適な実施形態について図面を参照しながら説明する。本発明に係る枠支持構造を備えた縦型遊技機の一例として、図１にパチンコ機ＰＭの正面図を、図２に裏セット盤を取り外した状態のパチンコ機ＰＭの背面図を示しており、まずこの両図面を参照してパチンコ機ＰＭの概要について説明する。
【００１６】
パチンコ機ＰＭは、外郭方形枠サイズに構成されて縦向きの固定保持枠をなす外枠１０の開口前面に、これに合わせた方形枠サイズに構成されて開閉搭載用の前枠２０が互いの正面左側上下に配設された開閉連結支持機構（ヒンジ機構）１，２で横開き開閉および着脱が可能に取り付けられ、正面右側に設けられた施錠装置３を利用して常には外枠１０と係合された閉鎖状態に保持される。
【００１７】
前枠２０には、所要の遊技構成部材として以下に示すような各部材が取り付けられる。前枠２０の前面上部には、前枠２０の前面域に合わせた方形状のガラス扉４および上球皿６が正面左側に設けられたヒンジ機構で横開き開閉および着脱が可能に取り付けられ、正面右側に設けられた施錠装置３および球皿施錠装置を利用して前枠２０の前面を覆う閉鎖状態に保持される。前枠２０の裏面上部には遊技盤５を立設姿勢で収容する収容枠２５が一体に成型され、この収容枠２５に所定のゲージ設定に基づく遊技領域ＰＡが形成された遊技盤５が着脱可能に収容保持され、常には閉鎖保持されるガラス扉４に遊技領域ＰＡを臨ませている。前枠２０の前面下部には、遊技球を貯留する下球皿７が設けられ、この下球皿７と並んで遊技球の発射操作を行う発射ハンドル８が取り付けられ、その背後には遊技球を遊技盤５に向けて発射する遊技球発射装置９が設けられている。
【００１８】
前枠２０の裏側には、詳細図示省略する裏セット盤３０（図１６を参照）が着脱および横開き開閉可能に取り付けられている。裏セット盤３０には、遊技球を貯留する球貯留タンクや、所定の入賞状態に基づいて遊技球を払い出す球払出装置、球払出装置から払い出された遊技球を上下の球皿６，７に導く払出通路などの賞球機構、および遊技盤２０から裏面側に排出されたアウト球およびセーフ球を遊技施設側の回収バケットに流下させる遊技済み球排出通路が設けられている。裏セット盤３０の裏面側には電源基盤や主制御基板、払出制御基板などの各種回路基盤が取り付けられ、これらの回路基板と電気・電子部品とが配線接続されて遊技可能に構成される。
【００１９】
パチンコ機ＰＭでは、前枠２０の各部に上記のような遊技構成部材が装備されることで、外枠１０と分離した状態で動作可能な前枠構造体ＦＳ（図１６を参照）が構成され、この前枠構造体ＦＳをヒンジ機構１，２を利用して遊技島に固定された外枠１０と係合連結させることで遊技島に開閉可能に取り付けられる。そして、所要の電気配線を行った後、前枠２０、ガラス扉４、上球皿６などを閉鎖施錠した状態で遊技に供され、遊技者が上球皿６に遊技球を貯留させて発射ハンドル８を回動操作することにより遊技が開始される。発射ハンドル８が回動操作されると、上球皿６に貯留された遊技球が１球ずつ遊技球発射装置９に送り出され、揺動駆動されるハンマにより遊技領域ＰＡに打ち出されてパチンコゲームが展開される。
【００２０】
このように概要構成されるパチンコ機ＰＭにあって、外枠１０は、木材や樹脂材等で成形加工された複数本の定形尺の枠板部材、すなわち上下の枠板１１，１４および左右の枠板１２，１３を直角に枠組み連結するとともに、各隅角部に補強金具を固定して構成される。下枠板１４は、底板１５の上面前縁に沿って支持台板としての幕板１６が、左右の枠板１２，１３間に亘って連結されて頑強な耐久強度を有する構造とされ、その上部に必要に応じて補強連杆１７が連結固定される。なお外枠１０の前側開口面域とは、上枠板１１および左右の枠板１２，１３の前面と下枠板１４における幕板１６の上面とに亘る方形面域をいう。
【００２１】
一方、前枠２０は、樹脂材や木材等で外枠１０の前側開口面域に合わせた若干小型枠に構成されており、収容枠２５と別体の組合せ、収容枠２５を一体に形成したタイプがあるが、本実施例ではＡＢＳ樹脂等の樹脂材料を用いて射出成型等の成形手段で収容枠２５を含めて一体樹脂成型したタイプを示す。そして上下の開閉連結支持機構１，２は、一般的な形態として外枠１０と前枠２０との所定位置に固定されて互いに整合し得る補強兼用のヒンジ金具１ａ，１ｂおよび２ａ，２ｂの軸ピンと軸孔との嵌挿ヒンジ形態とされている。これにより前枠２０は、この開閉連結支持機構１，２を利用して着脱および片持ち支持形態で前方への引出開放と後方への押し込み閉鎖ができるようになっている。
【００２２】
さて、このようなパチンコ機ＰＭに実施される枠支持構造は、外枠１０と前枠２０との下部整合部位に装備されており、前枠２０が外枠１０の前側開口面域を覆って閉鎖された遊技提供状態にあって、遊技構成部材が取り付けられた前枠（すなわち前枠構造体ＦＳ）の荷重を直接受けて適正な水平姿勢・位置に保持し得る一方、外枠１０に対して前枠構造体ＦＳを楽にかつ軽快に開閉（引出し、押込み）し得るように構成されている。
【００２３】
具体的な実施例として示す第１実施例の枠支持構造１００は、大別的には外枠１０側に設けられた支持受け部１０１と前枠２０側に設けられた転動ユニット１０２とからなり、以下、図３から図８の各図を参酌しながらこの枠支持構造１００について説明する。ここで、図３は転動ユニット１０２の分解斜視図、図４および図５は前枠２０を閉鎖した状態における枠支持構造１００の背面図および平面図、図６は転動ユニット１０２の背面左側の部分を拡大して示す背面図、図７は図６と同様部分を前枠２０と分離させた状態で示す平面図、図８は枠支持構造１００の作用を示す側面図である。なお、以降の枠支持構造の説明では、パチンコ機ＰＭを背面側から見た状態を主として説明するため、図２に示す背面図における左右方向をもって左右と称して説明する。
【００２４】
転動ユニット１０２は、前枠２０の裏面側の下部中央に固定される支持板１１０、この支持板１１０の中央部に後方に突出して取り付けられた支軸１２０、それぞれ基端側が支軸１２０に枢支され先端側が前枠下部の左右で上下に揺動可能な第１揺動アーム１３０Ｌおよび第２揺動アーム１３０Ｒ、これらの揺動アーム１３０Ｌ，１３０Ｒの先端部にそれぞれ前後方向に回動可能に取り付けられた第１回動部材１４０Ｌおよび第２回動部材１４０Ｒ、前枠２０に対する第１揺動アーム１３０Ｌの揺動角度位置および前枠２０に対する第２揺動アーム１３０Ｒの揺動角度位置を調整することにより前枠２０に対する第１回動部材１４０Ｌおよび第２回動部材１４０Ｒの高さ位置を個々に調整可能に設けられた第１調整機構１５０Ｌおよび第２調整機構１５０Ｒとを備えて構成される。
【００２５】
支持板１１０は、左右方向に延びるプレート部１１１、プレート部１１１の中央に形成された支軸取付部１１２、プレート部１１１の左右上端の一部が前方に折り曲げられるとともに調整ネジ１５５と螺合可能な雌ねじ部１１５ｓが形成された左右の調整フランジ部１１５，１１５、左右の調整フランジ部の内側に上方に突出して形成されたバネ掛止突起部１１６，１１６、および前枠下部に形成されたネジボス２８，２８…と位置整合して形成されたサラ孔形態の支持板取付孔１１８，１１８…などからなり、中央の支軸取付部１１２を挟んで左右対称に構成されている。支持板１１０は、例えば、板厚２．３〜３．２ｍｍ程度の冷間圧延鋼板をプレス成形して図示する形状に加工成形したうえユニクロメッキ等の所要の表面処理を施して形成される。
【００２６】
支軸１２０は、支軸取付部１１２に固着される基端側に形成された台座部１２１、台座部１２１よりも細い直径で後方に延びる軸部１２２、軸部１２２の先端側に形成されたネジ部１２３などからなり、例えば所定線径の鋼棒を旋削、転造等して図示形状に加工成形し所要の表面処理を施したうえで、支軸取付部１１２にカシメ圧着やリベット等の固着手段で固着される。あるいは、円筒形の台座部を支軸取付部１１２にカシメ圧着して支持板を形成し、この台座部に軸部およびネジ部からなる支軸を圧入固定する構成としてもよい。なお、図３では、次述する第１および第２揺動アームの支軸フランジ部１３２を前後に所定間隔をおいて保持させるためのスペーサカラー１２６を軸部１２２に係合させた状態を示している。
【００２７】
第１揺動アーム１３０Ｌおよび第２揺動アーム１３０Ｒは、左右方向に延びる帯板状のアーム部１３１、アーム部１３１の一端が上方に曲げ成型されるとともに支軸１２０の軸部１２２と嵌脱自在な軸受孔１３２ｈが形成された支軸フランジ部１３２、アーム部１３１の他端側が回動部材１４０（第１回動部材１４０Ｌ，第２回動部材１４０Ｒ）の外形および厚さに合わせてコの字状に曲折されるとともに回動部材１４０を回動自在に支持する軸ピン１４３を取着するピン孔１３３ｈが形成された回動部材支持部１３３、回動部材支持部１３３の上面を利用して形成されたネジ受け部１３５、回動部材支持部１３３よりも基端側のアーム部１３１に切り起こし成型されたバネフック部１３６などからなり、支持板１１０と同様の金属板材を用いて同様の加工手段により形成される。
【００２８】
ここで、第１揺動アーム１３０Ｌと第２揺動アーム１３０Ｒとは、共通の揺動アーム（１３０）を用いて両者を構成できるように形成している。すなわち、前後に対峙する支軸フランジ部１３２，１３２の中間に垂直に軸線を立て、この軸線まわりに一方の揺動アーム（例えば第１揺動アーム１３０Ｌ）を１８０度回転させたときに他方の揺動アーム（例えば第２揺動アーム１３０Ｒ）となるように形成している。これにより、第１揺動アーム１３０Ｌと第２揺動アーム１３０Ｒとを共通化し、製作部品の種類を低減して枠支持構造のコスト低減を図っている。
【００２９】
第１回動部材１４０Ｌおよび第２回動部材１４０Ｒは、全体としてはキャスターの車輪状をなし、接地面（外周面）は揺動アーム１３０Ｌ，１３０Ｒの傾き角に拘わらず適正な接地状態を得るため揺動半径に対応した円弧状に形成されている。第１回動部材１４０Ｌおよび第２回動部材１４０Ｒも揺動アーム１３０と同様に、左右共通部品（回動部材１４０）であり、回動部材支持部１３３の左右の支持面間に嵌挿し軸ピン１４３を一方のピン孔１３３ｈから中心孔１４０ｈを通して他方のピン孔１３３ｈに挿通させ、突出した軸ピン１４３の先端をカシメることで、回動部材１４０（１４０Ｌ，１４０Ｒ）が軸ピン１４３を介して回動部材支持部１３３にフリー回転自在に装着される。回動部材１４０は樹脂材料または金属材の何れも利用できるが、例えば、ナイロン（ＰＡ）や硬質ポリウレタン等の硬質樹脂材料が好適とされる。
【００３０】
第１調整機構１５０Ｌおよび第２調整機構１５０Ｒは、支軸１２０に枢支される第１および第２揺動アームのネジ受け部１３５，１３５の配設位置に合わせて設けられ、本実施例では調整ネジ１５５として先端丸先の六角ボルトを用いて低コストに構成した例を示す。既述したように、支持板１１０における左右の調整フランジ部１１５には調整ネジ１５５と螺合可能な雌ネジ部１１５ｓが形成されており、この雌ネジ部１１５ｓに調整ネジ１５５を螺合させて回動させることで、調整ネジ１５５が螺合に応じて上下に昇降する。
【００３１】
これらの調整機構１５０（１５０Ｌ，１５０Ｒ）はネジ受け部１３５の直上に位置して回動部材１４０からの反力を直接支持するように構成されており、アーム部１３１の撓み等の影響を受けることなく前枠構造体を支持するとともに、第１および第２揺動アーム１３０Ｌ，１３０Ｒを比較的薄肉の金属板材を用いた簡明な板金部材で構成可能にしている。なお、調整ネジ１５５として六角ボルトを用いた場合を例示したが、ネジ受け部１３５の高さ位置を調整可能であればよく、例えば、六角孔付きまたはスリ割り形態のボルトや、ナールノブ（サムスクリュウ）等であってもよい。
【００３２】
このように構成された各部材を部分組立してサブアッセンブリ化し、これを前枠下部の中央に組み付けることで転動ユニット１０２が形成される。すなわち、第１回動部材１４０Ｌが枢結された第１揺動アーム１３０Ｌの軸受孔１３２ｈを支軸１２０の軸部１２２に嵌挿し、その後方からスペーサカラー１２６を軸部１２２に係合させたうえ、第２回動部材１４０Ｒが枢結された第２揺動アーム１３０Ｒの軸受孔１３２ｈを軸部１２２に嵌挿する。そして、軸部後端のネジ部１２３に平座金１２７を介してナット１２８を螺合させて所定量締め込む。これにより、第１揺動アーム１３０Ｌおよび第２揺動アーム１３０Ｒがガタなく所定間隔を保持して支軸１２０に揺動自在に枢支され、サブアッセンブリが形成される。次いで支持板１１０を前枠下部の所定位置に位置合わせし、支持板取付孔１１８，１１８…と位置整合する前枠側のネジボス２８，２８…にサラ小ネジを螺合させて締め込む。これによりサブアッセンブリが前枠下部の所定位置に強固にネジ固定される。
【００３３】
そして、調整ネジ１５５を標準となる高さ位置に概略設定し、支持板の左側のバネ掛止突起部１１６と第１揺動アーム側のバネフック部１３６、支持板の右側のバネ掛止突起部１１６と第２揺動アーム側のバネフック部１３６との間に、それぞれ引っ張りバネ１５６を掛止させる。これにより、第１揺動アーム１３０Ｌおよび第２揺動アーム１３０Ｒが支軸１２０を中心にそれぞれ上方に付勢され、図４〜図６の各図に示すように各揺動アームのネジ受け部１３５が調整ネジ１５５の先端部と当接する揺動角度位置に付勢保持され、転動ユニット１０２が形成される。
【００３４】
こうして転動ユニット１０２が形成されると、作業者は前枠２０を開放させた状態で、第１調整機構１５０Ｌおよび第２調整機構１５０Ｒの各調整ネジ１５５，１５５を時計回りまたは反時計回りに回動させて、前枠２０に対する第１揺動アーム１３０Ｌの揺動角度位置および第２揺動アーム１３０Ｒの揺動角度位置を自由に調整することができ、これにより前枠２０に対する第１回動部材１４０Ｌの高さ位置、および前枠２０に対する第２回動部材１４０Ｒの高さ位置を個々に、かつ調整ネジの螺合範囲内で任意に調整することができる。
【００３５】
一方、外枠１０側に設けられた支持受け部１０１は、前枠を閉鎖したときの第１回動部材１４０Ｌおよび第２回動部材１４０Ｒの位置に合わせて設けられ、外枠１０の下枠板１４における幕板１６と補強連杆１７に設置されたガイド板１６０，１６０を備えた例を示す。ガイド板１６０は垂直状の当て部１６１と水平状の受け部１６２ならびに当て部１６１と受け部１６２との間に形成された斜辺状の球流し部１６３とを有し、例えば板厚０．８〜１．２ｍｍ程度の冷間圧延鋼板を打ち抜きおよび曲げ成型し所要の表面処理を施して形成される。
【００３６】
ガイド板１６０は、当て部１６１を補強連杆１７の後面に当接させ、受け部１６２を幕板１６および補強連杆１７の両平坦上面に当接支持させた所定の高さ位置で当て部１６１の後方からビス固定される。なお、ガイド板１６０を有しない支持受け部（例えば既設の外枠）に対しては、このようなガイド板１６０を第１，第２回動部材１４０Ｌ，１４０Ｒの配設位置に合わせてビス固定することで事後的に取着することもでき、簡単に受圧強度を向上させた支持受け部を形成することが可能である。
【００３７】
第１調整機構１５０Ｌおよび第２調整機構１５０Ｒによって設定される第１回動部材１４０Ｌおよび第２回動部材１４０Ｒの標準的な高さ位置は、これらの回動部材が前枠２０の下端面よりもわずかに下方に突出し（図６を参照）、前枠２０を閉鎖したときに第１および第２回動部材１４０Ｌ，１４０Ｒが左右のガイド板１６０，１６０に直接支持されるとともに、このように支持させたときの前枠２０の支持高さが、開閉連結支持機構１，２による前枠２０の支持高さよりも幾分高くなるように（すなわち開閉連結支持機構における外枠側のヒンジ金具１ａ，２ａと前枠側のヒンジ金具１ｂ，２ｂとがそれぞれ軸ピンと軸孔との係合を保持した状態で、前枠側のヒンジ金具１ｂ，２ｂがわずかに浮き上がるように）設定される。
【００３８】
このため、前枠２０を閉鎖したときに、第１および第２回動部材１４０Ｌ，１４０Ｒがそれぞれ左右のガイド板１６０，１６０に直接支持され、前枠構造体ＦＳ（遊技構成部材が取り付けられた前枠２０）の荷重が枠支持機構１００に支持される。そして、第１調整機構１５０Ｌおよび第２調整機構１５０Ｒを利用して第１回動部材１４０Ｌおよび第２回動部材１４０Ｒの高さ位置を微調整することにより、外枠１０に対する前枠２０の高さ位置、および左右方向の傾きを調整して前枠構造体を適正な水平姿勢・位置に保持させることができる。なお、球流し部１６３はガイド板１６０の上面に遊技球が停留しないように設けられている。また、受け部１６２の前端部に回動部材１４０に対する案内斜面を形成してもよい。
【００３９】
以上のように構成された枠支持構造１００によれば、図１，２に例示するように外枠１０の前側開口面域に合わせて前枠２０が閉鎖されている状態において、前枠２０の裏面下端の左右に位置する第１および第２回動部材１４０Ｌ，１４０Ｒと、外枠１０の下枠板１４の左右に位置するガイド板１６０，１６０とが、設定された高さ位置で当接する条件により、垂直下向きに働く前枠構造体の荷重を常に頑強な耐久強度を有する下枠板１４側で直接的に受けて前枠２０を適正な水平姿勢・位置に保持することができる。
【００４０】
これにより、たとえ外枠１０が左右に傾いて遊技島に固定されていたとしても前枠２０を適正な水平姿勢・位置に保持させることができ、パチンコ機ＰＭでのゲームにおいて前枠２０内の発射レールや遊技盤５を設計意図とする角度、水平立面に保持して良好な球発射を維持し得るとともに、遊技領域ＰＡ内で適正なゲームを安定して展開できる。また上球皿６や裏セット盤３０における夫々の球通流路を設計意図とする勾配に維持して、球流れ不良を解消し、常に良好な球流れを確保することができる。
【００４１】
一方、外枠１０に対する前枠２０の開閉においては、図８（ａ）（ｂ）にそれぞれ前枠開放時の枠支持構造の状態と、前枠閉鎖時の枠支持構造の枠支持構造の状態とを側面図で示すように、支持受け部１０１のガイド板１６０と転動ユニット１０２の回動部材１４０とが相対的な転動・案内作用を奏する。すなわち解錠された前枠２０の開放時では、軽少な引出し力により回動部材１４０が前述した荷重を受けたままガイド板１６０の受け部１６２上面をフリー回転で転動することになる。このため遊技施設の管理者等では、前枠構造体ＦＳを楽にかつスムーズに引出して開放することができる。
【００４２】
また、回動部材１４０がガイド板１６０前端より離隔した位置では、開閉連結支持機構１，２における軸ピン及び軸孔の嵌合差（径差）および支持板の撓みに起因して前枠構造体の正面右側が下傾し、回動部材１４０が図８（ａ）に示すように下方に変移する。このもとで逆に前枠２０の閉鎖時では、軽少な押込み力により回動部材１４０がガイド板１６０の受け部１６２前端に当接した以降、その直径とフリー回転を利用して図８（ａ）中に二点鎖線で示すように受け部１６２上面に乗り上り、そのまま転動して図８（ｂ）に示す所定の高さ位置に当接保持される。これにより遊技施設の管理者等では、前枠構造体ＦＳを楽にかつスムーズに押し込んで閉鎖することができる。さらに、本構成の枠支持構造１００では、第１および第２回動部材１４０Ｌ，１４０Ｒの高さ位置を独立して調整可能なため、外枠１０に対する前枠全体の高さ位置を調整することができ、きめ細かい水平姿勢・位置の調整が可能である。
【００４３】
なお、詳細構成は次述するが、第１揺動アーム１３０Ｌおよび第２揺動アーム１３０Ｒを支持板１１０の後方からボルト等で固定する形態としてもよい。すなわち、図３中に二点鎖線で付記するように、支軸取付部１１２を上方に開くコの字状に形成するとともに、前方の支軸取付部に雌ネジ部を有する台座部（既述した台座部１２１に相当する）をカシメ圧着し、後方の支軸取付部にボルトの外周面を支持する軸支孔を形成して、前後の支軸取付部の支持面間に第１揺動アームの支軸フランジ部１３２、スペーサカラー１２６、第２揺動アームの支軸フランジ部１３２を配置し、後方から各部材の孔部を通してボルトを嵌挿し台座部に螺合締結するように構成してもよく、このような構成によれば支軸の支持強度を向上させることができる。
【００４４】
次に、第２実施例の枠支持構造２００について、図９および図１０を参照して説明する。この枠支持構造２００は、外枠１０側に設けられた支持受け部１０１と前枠２０側に設けられた転動ユニット２０２とからなり、転動ユニット２０２における支軸近傍の構成のみが前述した転動ユニット１０２と異なり、転動ユニット２０２における他の構成部分および支持受け部１０１は前述した枠支持構造１００と同様に構成されるものである。そこで、以下では、同様の構成部分には同一番号を付して重複説明を省略し、相違する支軸近傍部の構成を中心に要約説明する。なお図９はこの枠支持構造２００における転動ユニット２０２の分解斜視図、図１０は転動ユニット２０２の左側の部分を拡大して示す背面図である。
【００４５】
転動ユニット２０２は、前枠２０の裏面側の下部中央に固定される支持板２１０、支持板２１０の中央部に取着される支軸２２０，２２０、基端側がそれぞれ支軸２２０，２２０に枢支され先端側が前枠下部の左右で上下に揺動可能な第１および第２揺動アーム２３０Ｌ，２３０Ｒ、これらの揺動アームの先端部にそれぞれ軸ピン１４３で回動可能に取り付けられた第１回動部材１４０Ｌおよび第２回動部材（１４０Ｒ）、第１，第２揺動アーム２３０Ｌ，２３０Ｒの揺動角度位置を調整することにより前枠２０に対する第１，第２回動部材の高さ位置を個々に調整可能に設けられた第１調整機構１５０Ｌおよび第２調整機構（１５０Ｒ）とを備えて構成される。なお、枠支持構造２００は前述した枠支持構造１００と同様に左右対称に構成されており、両図では左側の機構部のみを示している。
【００４６】
本実施例における支持板２１０は、左右に延びるプレート部２１１の中央上部がコの字状に折り曲げられて下方に開く支軸取付部２１２が形成され、このプレート部２１１の左右上部に調整ネジ１５５と螺合可能な雌ねじ部１１５ｓが形成された調整フランジ部１１５、調整フランジ部の内側に上方に突出して形成されたバネ掛止突起部１１６、前枠下部に形成されたネジボス２８，２８…と位置整合して形成されたサラ孔形態の支持板取付孔１１８，１１８…などからなり、前述した支持板１１０と同様の金属材料を用いて同様の加工手段により形成される。
【００４７】
第１揺動アーム２３０Ｌおよび第２揺動アーム２３０Ｒは、左右方向に延びる帯板状のアーム部１３１、アーム部基端側の前後が上方に曲げ成型されるとともに支軸２２０と嵌脱自在な軸受孔２３２ｈが形成された前後の支軸フランジ部２３２，２３２、アーム部１３１の他端側にコの字状に曲折されて形成された回動部材支持部１３３およびネジ受け部１３５、回動部材支持部１３３よりも基端側に切り起こし成型されたバネフック部１３６などからなり、前述した揺動アーム１３０と同様の金属板材を用いて同様の加工手段により形成される。なお第１揺動アーム２３０Ｌと第２揺動アーム２３０Ｒとは左右共通の揺動アーム２３０を用い、また第１回動部材１４０Ｌおよび第２回動部材も前述同様に左右共通の回動部材１４０を用いることでコスト低減を図った構成になっている。
【００４８】
支持板２１０に形成された支軸取付部２１２は、上記揺動アーム２３０における前後の支軸フランジ部２３２，２３２の外面間隔に合わせてコの字状に折り曲げられており、後方の支持面には支軸２２０の軸部を挿通させてその外周面を支持する軸支孔２１２ｈが、前方の支持面には支軸２２０先端のネジ部と螺合するネジ受け孔２１２ｓが、第１揺動アーム２３０Ｌおよび第２揺動アーム２３０Ｒに対応して形成されている。
【００４９】
支軸２２０は、本実施例では市販の六角ボルトを用いた構成例を示し、コスト低減を図った構成としている。なお、六角ボルトに代えて支軸取付部２１２の前後方向寸法に合わせた所定長さのショルダボルトを用いる構成としてもよく、あるいは六角ボルトの軸部にカラーを嵌挿しカラーの外周面に支持フランジ部の軸受孔２３２ｈ，２３２ｈを嵌合支持させる構成としてもよい。
【００５０】
このように構成された各部材を部分組立してサブアッセンブリ化し、これを前枠下部の中央に組み付けることで転動ユニット２０２が形成される。すなわち、第１回動部材１４０Ｌが枢結された第１揺動アーム２３０Ｌの前後の支軸フランジ部２３２，２３２を支軸取付部２１２の前後の支持面間に嵌挿し、左側の軸支孔２１２ｈに軸受孔２３２ｈを位置合わせして後方から支軸２２０を挿通し、前方のネジ受け孔２１２ｓに螺合させて締め込む。同様に、第２回動部材が枢結された第２揺動アーム２３０Ｒを位置合わせし、支軸２２０を挿通して螺合締結する。これにより、第１揺動アーム２３０Ｌおよび第２揺動アーム２３０Ｒが左右の各支軸２２０，２２０に揺動自在に枢支され、サブアッセンブリが形成される。次いで支持板２１０を前枠下部の所定位置に位置合わせし、支持板取付孔１１８，１１８…と位置整合する前枠側のネジボス２８，２８…にサラ小ネジを螺合させて締め込む。これによりサブアッセンブリが前枠下部の所定位置に強固にネジ固定される。
【００５１】
そして、調整ネジ１５５を標準となる高さ位置に概略設定し、支持板の左側のバネ掛止突起部１１６と第１揺動アーム側のバネフック部１３６、支持板の右側のバネ掛止突起部（１１６）と第２揺動アーム側のバネフック部（１３６）との間に、それぞれ引っ張りバネ１５６を掛止させる。これにより、第１揺動アーム２３０Ｌおよび第２揺動アーム２３０Ｒが支軸１２０を中心にそれぞれ上方に付勢され、各揺動アームのネジ受け部１３５が調整ネジ１５５の先端部と当接する揺動角度位置に付勢保持され、転動ユニット２０２が形成される。
【００５２】
こうして転動ユニット２０２が形成されると、作業者は前枠２０を開放させた状態で、第１調整機構１５０Ｌおよび第２調整機構１５０Ｒの各調整ネジ１５５，１５５を時計回りまたは反時計回りに回動させて、前枠２０に対する第１揺動アーム２３０Ｌの揺動角度位置および第２揺動アーム２３０Ｒの揺動角度位置を自由に調整することができ、これにより前枠２０に対する第１回動部材１４０Ｌの高さ位置、および前枠２０に対する第２回動部材１４０Ｒの高さ位置を個々に、かつ調整ネジの螺合範囲内で任意に調整することができる。
【００５３】
一方、外枠１０には前述同様の支持受け部１０１が設けられ、第１調整機構１５０Ｌおよび第２調整機構（１５０Ｒ）によって設定される第１回動部材１４０Ｌおよび第２回動部材（１４０Ｒ）の標準的な高さ位置も前述同様に（すなわち開閉連結支持機構における外枠側のヒンジ金具１ａ，２ａと前枠側のヒンジ金具１ｂ，２ｂとがそれぞれ軸ピンと軸孔との係合を保持した状態でわずかに浮き上がるように）設定される。
【００５４】
このため、前枠２０を閉鎖したときに、図４に示したと同様に、第１および第２回動部材１４０がそれぞれ左右のガイド板１６０に直接支持され、前枠構造体の荷重が枠支持機構２００に支持される。そして、第１および第２調整機構１５０を利用して各回動部材の高さ位置を微調整することにより、外枠１０に対する前枠２０の高さ位置、および左右方向の傾きを調整して前枠構造体ＦＳを適正な水平姿勢・位置に保持させることができる。
【００５５】
以上のように構成された枠支持構造２００によれば、前枠２０が外枠１０の前側開口面域を覆って閉鎖されている状態において、第１および第２回動部材１４０とガイド板１６０とが、設定された高さ位置で当接する条件により、垂直下向きに働く前枠構造体の荷重を常に頑強な耐久強度を有する下枠板１４側で直接的に受けて前枠２０を適正な水平姿勢・位置に保持することができる。これにより、たとえ外枠１０が左右に傾いて遊技島に固定されていたとしても前枠２０を適正な水平姿勢・位置に保持させることができ、パチンコ機ＰＭでのゲームにおいて前枠２０内の発射レールや遊技盤５を設計意図とする角度、水平立面に保持して良好な球発射を維持し得るとともに、遊技領域ＰＡ内で適正なゲームを安定して展開できる。また上球皿６や裏セット盤３０における夫々の球通流路を設計意図とする勾配に維持して、球流れ不良を解消し、常に良好な球流れを確保することができる。
【００５６】
一方、外枠１０に対する前枠２０の開閉においては、図８（ａ）（ｂ）を参照して説明した前述の枠支持構造１００と同様に、支持受け部１０１のガイド板１６０と転動ユニット２０２の回動部材１４０とが相対的な転動・案内作用を奏する。すなわち前枠２０の開放時では、回動部材１４０がガイド板１６０の受け部１６２上面をフリー回転で転動することにより軽少な引出し力により開放させることができ、遊技施設の管理者等では、前枠構造体ＦＳを楽にかつスムーズに引出して開放することができる。
【００５７】
また回動部材１４０がガイド板１６０前端より離隔した位置では、回動部材１４０が図８（ａ）に示したように下方に変移するが、前枠２０の閉鎖時では、回動部材１４０がガイド板１６０の受け部１６２前端に当接した以降、その直径とフリー回転を利用して軽少な押込み力で受け部１６２上面に乗り上り、そのまま転動して図８（ｂ）に示した所定の高さ位置に当接保持される。これにより遊技施設の管理者等では、前枠構造体ＦＳを楽にかつスムーズに押し込んで閉鎖することができる。さらに、本構成の枠支持構造２００では、第１および第２回動部材１４０Ｌ（１４０Ｒ）の高さ位置を独立して調整可能なため、外枠１０に対する前枠全体の高さ位置を調整することができ、きめ細かい水平姿勢・位置の調整を行うことができる。
【００５８】
なお、以上説明した枠支持構造１００，２００の他の利用態様として、前枠２０の閉鎖時に右側の第２回動部材１４０Ｒが受け部１６２の上方に浮き上がって位置するように第２調整機構１５０Ｒを調整するとともに、開閉連結支持機構２の連結支持位置を基準高さとして第１回動部材１４０Ｌの高さ位置を調整し、前枠閉鎖時に右側の開閉連結支持機構と左側の支持構造とで前枠構造体を水平な姿勢・位置に支持するように設定することもできる。このような利用態様では、比較的微妙な高さ調整を第１調整機構１５０Ｌに対してのみ行えばよく、調整操作を容易に行うことができ、また第１および第２回動部材１４０Ｌ，１４０Ｒを利用して前枠構造体ＦＳの移動運搬を行うことも可能である（後に詳述する）。
【００５９】
次に、第３実施例の枠支持構造について説明する。この枠支持構造は、詳細図示を省略するが、基端側が前枠２０の下部に枢支され先端側が開閉連結支持機構１，２が設けられた一側縁と反対側（背面視左側）における外枠１０と前枠２０との下部整合部分で上下に揺動可能な揺動アーム１３０Ｌ（または２３０Ｌ）と、この揺動アームの先端部に前後方向に回動可能に取り付けられた回動部材１４０Ｌと、前枠２０に対する揺動アーム１３０Ｌの揺動角度位置を調整することにより前枠２０に対する回動部材１４０Ｌの高さ位置を調整可能に設けられた調整機構１５０Ｌと、外枠１０における回動部材１４０Ｌとの整合位置に配設され前枠２０を外枠１０に閉鎖した閉鎖姿勢において回動部材１４０を支持し得る支持受け部１０１とを備えて構成される。すなわち、本実施例の枠支持構造の形態上の構成は、端的には、左右対称に構成された第１実施例の枠支持構造１００、または第２実施例の枠支持構造２００における左半分の構造を設けた支持構造に相当する。
【００６０】
そしてこの枠支持構造においては、調整機構１５０Ｌを用いた回動部材１４０Ｌの高さ位置の調整は、下側の開閉連結支持機構２の軸ピン・軸孔同志の連結支持位置を基準高さとして行われ、前枠２０を閉鎖したときに、前枠２０の下端縁面が外枠１０の幕板１６上面に対して適宜な間隔をおいて整合した水平姿勢・位置となるように設定される。
【００６１】
このため、調整機構１５０Ｌを利用して外枠１０に対する前枠２０の左右方向の傾きを調整することができる。従って、たとえ外枠１０が左右に傾いて遊技島に固定されていたとしても前枠２０を適正な水平姿勢・位置に保持させることができ、これにより、パチンコ機ＰＭでのゲーム時および前枠構造体ＦＳの開閉操作時において、前述した各枠支持構造と同様の効果を得ることができる。また、本構成の枠支持構造では、前述した枠支持構造の約半分の機構構成で枠支持構造を構成でき、かつ１カ所の調整機構を調整することで前枠構造体の水平調整を行えるため、簡明かつ低コストで調整操作の簡単な枠支持構造を提供することができる。
【００６２】
なお、本形態の枠支持構造では、前枠２０の下部右側に、例えば揺動アームや高さ調整機構を用いない簡明な構成の回動部材を設けることも好ましい。この場合、高さ位置固定形態の回動部材は、前枠２０の閉鎖時に幕板１６の上方に浮き上がって位置するように配設され、上述した水平調整時に支障をきたすことがない一方、左右の回動部材を利用して前枠構造体ＦＳの移動運搬を行うことが可能である。
【００６３】
次に、第４実施例の枠支持構造について説明する。この枠支持構造は、詳細図示を省略するが、中央部が前枠の下部に枢支され左右の端部が外枠１０と前枠２０との下部整合部分で上下に揺動可能な揺動アームと、この揺動アームの左右の端部にそれぞれ前後方向に回動可能に取り付けられた左右の回動部材１４０Ｌ，１４０Ｒと、前枠２０に対する揺動アームの揺動角度位置を調整することにより前枠２０に対する左右の回動部材１４０Ｌ，１４０Ｒの高さ位置を一体的に調整可能に設けられた調整機構と、外枠１０における左右の回動部材との整合位置に配設され前枠を外枠に閉鎖した閉鎖姿勢において左右の回動部材を支持し得る支持受け部１０１とを備え、調整機構を用いて左右の回動部材１４０Ｌ，１４０Ｒの高さ位置を調整することにより、閉鎖姿勢における外枠１０に対する前枠２０の左右方向の傾きを調整し得るように構成される。
【００６４】
すなわち、本実施例の枠支持構造は、端的には、第１実施例の枠支持機構１００における第１揺動アーム１３０Ｌと第２揺動アーム１３０Ｒとを連結させて、中央の前後に支軸フランジ部１３２，１３２、左右端部に回動部材支持部１３３，１３３を有する揺動アームを一体に形成するともに、この揺動アームを支軸１２０まわりに揺動させる調整機構を設けて左右の回動部材１４０Ｌ，１４０Ｒの高さ位置を一体的に調整し（シーソーのように左右の回動部材の高さ位置を相対的に調整し）、これにより閉鎖姿勢における前枠２０の左右方向の傾きを調整する。
【００６５】
ここで、揺動アームの揺動角度位置を調整する調整機構としては、一端が枢結されたアームに対する公知の揺動調整手段を用いることができる。例えば、揺動アームのアーム部を上下に挟み込む押し引きボルトを設けてこれらのボルトを調整し、あるいは前枠側の支持板と揺動アームとにそれぞれクレビスを設けて揺動ピンを枢結するとともに、支持板側の揺動ピンにボルトの基部を回動自在に枢支させ揺動アーム側の揺動ピンにボルトのネジ部を螺合させて、このボルトを回動することにより揺動アームの揺動角度位置を調整し、または揺動とスライドとを組み合わせて構成する等、適宜な揺動調整手段を用いて揺動アームの調整機構を構成することができる。
【００６６】
従って、このような調整機構を用いて揺動アームの揺動角度位置を調整することで、外枠１０に対する前枠２０の左右方向の傾きを調整することができ、これにより、たとえ外枠１０が左右に傾いて遊技島に固定されていたとしても前枠２０を適正な水平姿勢・位置に保持させることができ、これにより、パチンコ機ＰＭでのゲーム時および前枠構造体ＦＳの開閉操作時において、前述した各枠支持構造と同様の効果を得ることができる。また、本構成の枠支持構造では、１カ所の調整機構を調整することで前枠構造体の水平調整を行えるため、調整操作の簡単な枠支持構造を提供することができる。なお、このような揺動アームを前枠に対して上下にスライド移動可能に取り付けることにより、外枠１０に対する前枠２０の左右方向の傾きのみならず、上下方向の高さ位置についても調整可能に構成することが可能である。
【００６７】
以上では、樹脂材料で一体樹脂成型されたタイプ前枠２０に枠支持構造を設けた例を示したが、木材で成形されたタイプの前枠に対しても同様に構成することができる。図１１はこのようなタイプの前枠２０´に前述同様の枠支持構造を設けた例を示しており、ザグリ加工した前枠２０´に転動ユニット１０２または２０２の支持板１１０，２１０をネジ固定した形態を例示する。また、調整フランジ部１１５に雌ネジ部１１５ｓを直接形成する構成に代えて、図１１に示すように、フランジ部１１５に溶接ナット１１７またはカシメナットを固着して垂直負荷に対する強度を向上させた構成としてもよい。さらに、実施例では支軸１２０，２２０を設けて揺動アーム１３０，２３０を揺動自在に枢支した例を示したが、このような支軸を設けずに揺動アームの基端側を支持板に固定し、アーム部１３１の弾性を利用して揺動可能としてもよい。
【００６８】
さて、以上説明した枠支持構造１００，２００等を備えたパチンコ機ＰＭにあっては、前述したように前枠構造体ＦＳの開閉操作を楽にかつスムーズに行うことができるほか、左右の回動部材１４０Ｌ，１４０Ｒを前枠２０の下縁よりも下方に突出させて配設しているため、前枠２０を外枠１０と分離させた状態ではこれら左右の回動部材１４０Ｌ，１４０Ｒを床面に接地させることができ、このもとで回動部材を利用して前枠構造体ＦＳを容易に移動運搬することができる。
【００６９】
前枠２０の上部には、このような移動運搬時に好適な移動ハンドル５０が設けられている。以下、図１２〜図１５の各図を参照して移動ハンドル５０の構成について説明する。ここで、図１２は移動ハンドル５０を主として示す前枠２０上部の背面図、図１３は同領域の平面図、図１４は移動ハンドル５０の分解斜視図、図１５は前枠２０を外枠１０の前面を覆って閉鎖させたときの移動ハンドル近傍部の側断面図である。
【００７０】
移動ハンドル５０は、前枠２０の上部中央に止着されたベースプレート５１と、このベースプレート５１にスライドおよび揺動が自在に取り付けられたバーハンドル５２とを主体として構成される。
【００７１】
ベースプレート５１は、基板となるプレート部５１ａ、このプレート部５１ａの左右端部が平行にコの字状に折り曲げられて後方に突出する支持辺部５１ｂ，５１ｂ、この左右の支持辺部５１ｂ，５１ｂにバーハンドル５２の線径に合わせた溝幅で上下に延びて打ち抜き形成された長孔部５１ｃ，５１ｃ、プレート部５１ａに穿設された複数のネジ挿通孔５１ｈ等からなり、例えば板厚２．３〜３．２ｍｍ程度の冷間圧延鋼板を打ち抜きおよび曲げ成形し所要の表面処理を施して形成される。
【００７２】
バーハンドル５２は、左右に延びる把持部５２ａ、把持部の左右端部が平行にコの字状に折り曲げられて把持部５２ａと直交方向に延びる立設部５２ｂ，５２ｂ、左右立設部の端部がさらに外方に屈曲されて把持部５２ａと平行に延びる支持線部５２ｃ，５２ｃ、支持線部に左右の支持辺部５１ｂ，５１ｂの外面幅に合わせて溝加工されたリング溝５２ｅ，５２ｅ等からなり、例えば線径６〜１０ｍｍ程度のみがき鋼棒ないしステンレス鋼棒を溝切り加工および曲げ加工し、必要に応じて所要の表面処理を施して形成される。
【００７３】
バーハンドル５２は、左右の支持線部５２ｃ，５２ｃを、ベースプレート５１の左右の長孔部５１ｃ，５１ｃを通して係合させ、支持辺部５１ｂ，５１ｂの左右外側に位置したリング溝５２ｅ，５２ｅにスナップリング５３，５３を嵌着することでベースプレート５１に取り付けられ、長孔部５１ｃ，５１ｃと支持線部５２ｃ，５２ｃとの係合により、長孔部５１ｃ，５１ｃの延びる方向（上下方向）にスライド移動自在、および左右支持線部５２ｃ，５２ｃの軸線を揺動軸として揺動自在に支持される。
【００７４】
そして、ベースプレート５１を前枠上部の上下の立設リブ間に嵌挿し、前枠２０に成型されたネジボス２１，２１…とプレート部５１に穿設されたネジ挿通孔５１ｈ，５１ｈ…とを位置合わせして、後方からネジ５６を螺合締結することで前枠２０の上部中央に移動ハンドル５０が取着形成される。
【００７５】
このように取り付けられた移動ハンドル５０では、支持線部５２ｃを長孔部５１ｃの下端に位置させてバーハンドル５２を略直立させた立設姿勢のもとで、把持部５２ａの上端が前枠２０の上縁と略同一高さになるように設定される一方、図１３および図１５に示すように、外枠１０（上枠板１１）には、このような立設姿勢のバーハンドル５２を受容し、かつ引き出し容易に収容保持する受容切り欠き部１１ａが形成されている。
【００７６】
このため、図１５中の左側に閉鎖直前状態の前枠２０および移動ハンドル５０を二点鎖線で示すように、バーハンドル５２を上方に突出させた状態で前枠２０を閉鎖することができ、および前枠閉鎖後にバーハンドル５２を受容切り欠き部１１ａに収容させ、あるいは引き出して利用することができるようになっている。このため、外枠１０に前枠構造体ＦＳが閉止連結されたパチンコ機全体を移動運搬するような場合には、作業者は適宜把持部５２ａを上方に引き出して把持することができ、移動ハンドル５０を利用してパチンコ機ＰＭの運搬を容易に行うことができる。
【００７７】
なお、図１５中の右側に二点鎖線で付記するように、支持線部５２ｃを長孔部５１ｃの下端に位置させてバーハンドル５２を略水平に倒した倒伏姿勢とすることもでき、このような倒伏姿勢で前枠２０を閉鎖することによりバーハンドル５２を前枠内部に格納保持させることもできる。従って、パチンコ機ＰＭの遊技提供時には、移動ハンドル５０を前枠内部にコンパクトに格納保持させることができ、移動ハンドル５０に対する不正操作や移動ハンドル５０を利用した不正行為等を防止することができる。
【００７８】
一方、外枠１０を含むパチンコ機ＰＭが遊技施設に運搬され、パチンコ機を遊技施設の遊技島に設置する際には、開閉連結支持機構１，２を利用して一旦外枠１０と前枠構造体ＦＳとが分離され、軽量となった外枠単体を遊技島に位置決め固定した後、再び開閉連結支持機構１，２を利用して外枠１０と前枠構造体ＦＳとが係合連結される。また、開閉連結支持機構を含む外枠１０の主要寸法は各遊技機メーカごとに規格化されて互換性を有している。このため、近年ではリサイクル等の見地から既設の外枠を利用して前枠構造体ＦＳのみを交換する入れ替え形態が広く行われている。このため、パチンコ機がいずれの出荷形態を採る場合であっても、少なくとも遊技施設においては、前枠構造体ＦＳが外枠１０と分離された状態で運搬されることになる。そこで、パチンコ機ＰＭではこのような状況下においても前枠構造体ＦＳを楽に運搬できるように、既述した各枠支持構造１００，２００等および移動ハンドル５０を構成している。
【００７９】
図１６および図１７には、枠支持構造１００の転動ユニット１０２および操作ハンドル５０を利用して前枠構造体ＦＳを移動運搬する状況を例示している。ここで、図１６は前枠構造体ＦＳの移動状況を示すパチンコ機の側面図、図１７は図１６における転動ユニット１０２および移動ハンドル５０の部分を拡大して示す要部側面図である。
【００８０】
既述したように、枠支持構造１００では、転動ユニット１０２における左右の回動部材１４０（１４０Ｌ，１４０Ｒ）を前枠２０の下部縁面よりも下方に突出させて回動自在に配置している。このため、外枠１０から前枠構造体ＦＳを分離させた状態では、左右の回動部材１４０を床面ＧＦに接地させることができ、接地させた回動部材１４０の転動作用を利用して前枠構造体ＦＳを軽快に転がり移動させることができる。また、この移動運搬時に前枠２０の上部に設けた移動ハンドル５０を好適に利用することができる。
【００８１】
すなわち、前枠構造体ＦＳの移動運搬時では、転動ユニット１０２の左右の回動部材１４０を遊技施設の床面ＧＦに接地させて前枠構造体ＦＳの荷重を支持させたうえ、操作ハンドル５０の把持部５２ａを把持し、パチンコ機ＰＭを幾分後方に傾斜させた後傾姿勢で引き回すことにより、左右の回動部材１４０が床面ＧＦをフリー回転で転動し、軽少な引っ張り力で容易に前枠構造体ＦＳを転がり移動させることができる。このため、作業者は前枠構造体ＦＳを楽にかつスムーズに所要の遊技島に移動させることができる。
【００８２】
また、前枠２０の下端縁面の前方には、図１７中に示すように下方に突出するリブ状の支持突起２２が左右に延びて形成されている。この支持突起２２の突出高さは、調整機構１５０により水平姿勢・位置が調整された回動部材１４０の下方への突出高さと同程度に設定されており、前枠構造体ＦＳを図示する後傾姿勢から直立方向に起仰させたときに支持突起２２が床面ＧＦと当接し、左右の回動部材１４０と支持突起２２とで、前枠構造体ＦＳを起立姿勢で支持し得るようになっている。このため、作業者は前枠構造体ＦＳを遊技島に移動させる前後において前枠構造体ＦＳを起立姿勢で仮支持させることができ、例えば、把持する部位を作業に応じた好適な位置に持ち替えて、安定した作業姿勢で開放連結支持機構の連結作業等を行うことができる。なお、支持突起２２は前枠２０を外枠１０に閉鎖したときに、前枠２０の下面と幕板１６の上面との間の隙間を塞ぐように形成されており（図８等を参照）、パチンコ機前方からの不正操作を防止する機能を併せ持っている。
【００８３】
なお、上記実施例では、前枠構造体ＦＳに外枠１０を連結させた状態でも利用可能な形態の移動ハンドルを例示したが、前枠構造体ＦＳの移動運搬に適していれば外枠１０との係合連結時に常時パチンコ機内に格納されるような形態の移動ハンドルであってもよく、また、バーハンドル５２をスライドおよび揺動可能に支持した形態を例示したが、上下スライドのみ、あるいは前後揺動のみ可能な支持形態としてもよい。
【００８４】
【発明の効果】
以上説明したように、本発明では、外枠に対して一側縁の開閉連結支持機構を介して片持ち支持形態で開閉および着脱が可能に連結された前枠を有する縦型遊技機において、それぞれ基端側が前枠下部に取り付けられ先端側が前枠と外枠との下部整合部分の左右で上下に揺動可能な第１揺動アームおよび第２揺動アームと、これらの揺動アームの先端部にそれぞれ回動可能に取り付けられた第１および第２回動部材と、前枠に対する各揺動アームの揺動角度位置を調整することにより前枠に対する第１回動部材および第２回動部材の高さ位置を個々に調整可能に設けられた第１調整機構および第２調整機構と、前枠を外枠に閉鎖した閉鎖姿勢において各回動部材を支持し得る支持受け部とを備え、第１調整機構および第２調整機構を用いて第１回動部材および第２回動部材の高さ位置を調整することにより、閉鎖姿勢における外枠に対する前枠の左右方向の傾きを調整し得るとともに、開閉連結支持機構の連結を解除して外枠から前枠を取り外した状態では第１回動部材および第２回動部材を接地させて遊技構成部材が取り付けられた前枠を転がり移動させ得るように枠支持構造を構成する。
【００８５】
このような構成の枠支持構造によれば、第１および第２調整機構を利用して各回動部材の高さ位置を調整することで、外枠に対する前枠の相対角度を変化させることができ、これにより、たとえ外枠が左右に傾斜した状態で固定されていたとしても、前枠を適正な水平姿勢に調整して保持させることができる。また、前枠の傾きを直接調整する構成のため、前枠および外枠の各構成部材の寸法誤差や取付誤差等の影響を受けることがなく、前枠を確実に水平姿勢に調整することができる。さらに第１および第２回動部材の高さ位置を独立して調整可能なため、外枠に対する前枠の高さ位置をも調整することができ、きめ細かい水平姿勢・位置の調整を行うことができる。また、外枠から前枠構造体を取り外した状態で、第１回動部材および第２回動部材を接地させて前枠構造体を転がり移動させることができるため、遊技施設内での移動作業等において前枠構造体を軽い操作力で移動させることができ、これにより、従来重労働とされた移動作業の労力を大幅に軽減し、取り扱い性が良好な縦型遊技機を提供することができる。
【図面の簡単な説明】
【図１】本発明に係る枠支持構造を備えた縦型遊技機の一例として示すパチンコ機の正面図である。
【図２】裏セット盤を取り外した状態で示す上記パチンコ機の背面図である。
【図３】第１実施例の枠支持構造における転動ユニットの分解斜視図である。
【図４】第１実施例の枠支持構造の背面図である。
【図５】第１実施例の枠支持構造の平面図である。
【図６】第１実施例の枠支持構造における転動ユニットを拡大して示す背面図である。
【図７】図６と同様部分を前枠と分離させた状態で示す平面図である。
【図８】第１実施例の枠支持構造の作用を示す側面図である。
【図９】第２実施例の枠支持構造における転動ユニットの分解斜視図である。
【図１０】第２実施例の枠支持構造における転動ユニットを拡大して示す背面図である。
【図１１】木材で成形されたタイプの前枠に枠支持構造を設けた例を示す側面図である。
【図１２】移動ハンドルを主として示す前枠上部の背面図である。
【図１３】移動ハンドルを主として示す前枠上部の平面図である。
【図１４】移動ハンドルの分解斜視図である。
【図１５】外枠の前面を覆って前枠を閉鎖させたときの移動ハンドル近傍部の側断面図である。
【図１６】前枠構造体の移動状況を示すパチンコ機の側面図である。
【図１７】図１６における転動ユニットおよび移動ハンドルの部分を拡大して示す要部側面図である。
【符号の説明】
ＦＳ  前枠構造体
ＧＦ  床面
ＰＡ  遊技領域
ＰＭ  パチンコ機
１  上側の開閉連結支持機構（１ａ，１ｂ  ヒンジ金具）
２  下側の開閉連結支持機構（２ａ，２ｂ  ヒンジ金具）
３  施錠装置
４  ガラス扉
５  遊技盤
６  上球皿
７  下球皿
８  発射ハンドル
９  遊技球発射装置
１０  外枠
１１  上枠板（１１ａ  受容切り欠き部）
１２  左枠板
１３  右枠板
１４  下枠板（１５  底板、１６  幕板、１７  補強連杆）
２０，２０´  前枠
２１  ネジボス
２２  支持突起
２５  収容枠
２８  ネジボス
３０  裏セット盤
５０  移動ハンドル
５１  ベースプレート（５１ａ  プレート部、５１ｂ  支持辺部、５１ｃ  長孔部、５１ｈ  ネジ挿通孔）
５２  バーハンドル（５２ａ  把持部、５２ｂ  立設部、５２ｃ  支持線部、５２ｅ  リング溝）
５３  スナップリング
５６  ネジ
１００  枠支持構造（第１実施例）
１０１  支持受け部
１０２  転動ユニット
１１０  支持板
１１１  プレート部
１１２  支軸取付部
１１５  調整フランジ部（１１５ｓ  雌ネジ部）
１１６  バネ掛止突起部
１１７  溶接ナット
１１８  支持板取付孔
１２０  支軸
１２１  台座部
１２２  軸部
１２３  ネジ部
１２６  スペーサカラー
１２７  平座金
１２８  ナット
１３０  揺動アーム（１３０Ｌ  第１揺動アーム、１３０Ｒ  第２揺動アーム）
１３１  アーム部
１３２  支軸フランジ部（１３２ｈ  軸受孔）
１３３  回動部材支持部（１３３ｈ  ピン孔）
１３５  ネジ受け部
１３６  バネフック部
１４０  回動部材（１４０Ｌ  第１回動部材、１４０Ｒ  第２回動部材、１４０ｈ  中心孔）
１４３  軸ピン
１５０  調整機構（１５０Ｌ  第１調整機構、１５０Ｒ  第２調整機構）
１５５  調整ネジ
１５６  引っ張りバネ
１６０  ガイド板
１６１  当て部
１６２  受け部
１６３  球流し部
２００  枠支持構造（第２実施例）
２０２  転動ユニット
２１０  支持板
２１１  プレート部
２１２  支軸取付部（２１２ｈ  軸支孔、２１２ｓ  ネジ受け孔）
２２０  支軸
２３０  揺動アーム（２３０Ｌ  第１揺動アーム、２３０Ｒ  第２揺動アーム）
２３２  支軸フランジ部（２３２ｈ  軸受孔）
【図１】
2004321540.tif 000003
【図２】
2004321540.tif 000004
【図３】
2004321540.tif 000005
【図４】
2004321540.tif 000006
【図５】
2004321540.tif 000007
【図６】
2004321540.tif 000008
【図７】
2004321540.tif 000009
【図８】
2004321540.tif 000010
【図９】
2004321540.tif 000011
【図１０】
2004321540.tif 000012
【図１１】
2004321540.tif 000013
【図１２】
2004321540.tif 000014
【図１３】
2004321540.tif 000015
【図１４】
2004321540.tif 000016
【図１５】
2004321540.tif 000017
【図１６】
2004321540.tif 000018
【図１７】
2004321540.tif 000019